(57)【特許請求の範囲】
【請求項１】
センサ用光ファイバであって、
入射光が伝播する方向に沿って、前記センサ用光ファイバのコアの屈折率を周期的に変化させたＦＢＧと、
前記ＦＢＧを被覆する金属層と、
前記金属層に設けられる一対の電極と
を備え、
前記ＦＢＧは、前記金属層によって被覆されるメタライズ部と、前記金属層によっては被覆されない非メタライズ部とを備え、
前記メタライズ部は、前記ＦＢＧにおいて、前記入射光が伝播する方向中央に設けられる、
センサ用光ファイバ。
【請求項２】
前記センサ用光ファイバは、複数の前記ＦＢＧを備え、
前記ＦＢＧの１つが有する前記金属層の電極のうち一方は抵抗器に接続される、請求項１に記載のセンサ用光ファイバ。
【請求項３】
前記センサ用光ファイバは環境温度センサ部を備え、
前記環境温度センサ部は、前記ＦＢＧとは異なるＦＢＧを備える、請求項１または２に記載のセンサ用光ファイバ。
【請求項４】
前記メタライズ部の、前記入射光が伝播する方向における合計の長さと、
前記非メタライズ部の、前記入射光が伝播する方向における合計の長さと
は互いに等しい、請求項１〜３のいずれか一項に記載のセンサ用光ファイバ。
【請求項５】
請求項１〜４のいずれか一項に記載のセンサ用光ファイバと、
前記入射光として複数の波長からなる光を放射する光源と、
前記ＦＢＧを透過した光または前記ＦＢＧによって反射された波長の帯域幅を測定する分光手段と、
前記帯域幅に基づいて前記金属層に流れる電流または前記金属層に印加された電圧を算出する、算出手段と
を備える、電力装置監視システム。
【請求項６】
センサ用光ファイバであって、
入射光が伝播する方向に沿って、前記センサ用光ファイバのコアの屈折率を周期的に変化させた複数のＦＢＧと、
前記ＦＢＧを被覆する金属層と、
前記金属層に設けられる一対の電極と
を備え、
前記複数のＦＢＧは、電流用ＦＢＧおよび電圧用ＦＢＧを含み、
前記電圧用ＦＢＧが有する前記金属層の電極のうち一方は抵抗器に接続された
センサ用光ファイバと、
前記入射光を放射する光源と、
前記ＦＢＧを透過した光または前記ＦＢＧによって反射された光を測定する光測定手段と
を備え、
前記電流用ＦＢＧの金属層は、電力装置に直列に接続され、
前記電圧用ＦＢＧの金属層は、前記電力装置に並列に接続される、
電力装置監視システム。
【請求項７】
前記光源は、前記入射光として複数の波長からなる光を放射し、
前記光測定手段は、光のスペクトルを測定する分光手段である、請求項６に記載の電力装置監視システム。
【請求項８】
前記分光手段は、前記ＦＢＧによって反射されたブラッグ波長を特定し、
前記電力装置監視システムは、前記ブラッグ波長に基づいて、前記金属層に流れる電流または前記金属層に印加された電圧を算出する、算出手段をさらに備える、請求項７に記載の電力装置監視システム。
【請求項９】
前記センサ用光ファイバは環境温度センサ部を備え、
前記環境温度センサ部は、前記ＦＢＧとは異なるＦＢＧを備え、
前記分光手段は、前記環境温度センサ部によって反射された波長を基準ブラッグ波長として特定し、
前記算出手段は、前記ブラッグ波長と前記基準ブラッグ波長との差分に基づいて、前記電流または前記電圧を算出する、請求項８に記載の電力装置監視システム。
【請求項１０】
前記光源において、前記入射光の波長は可変であり、
前記電力装置監視システムは、前記光源を制御して前記入射光の波長を変更する光源制御手段を備え、
前記光源制御手段は、前記基準ブラッグ波長に基づいて、前記入射光の波長を制御する、
請求項９に記載の電力装置監視システム。
【請求項１１】
前記金属層は抵抗金属材料を含む、請求項１〜４のいずれか一項に記載のセンサ用光ファイバまたは請求項５〜１０のいずれか一項に記載の電力装置監視システム。
【請求項１２】
前記金属層に発生するジュール熱により、前記入射光が伝播する方向に前記金属層が伸縮する、
請求項１〜４のいずれか一項に記載のセンサ用光ファイバ、または、
請求項５〜１０のいずれか一項に記載の電力装置監視システム、または、
請求項１１に記載のセンサ用光ファイバもしくは電力装置監視システム。
【発明の詳細な説明】
【技術分野】
【０００１】
本発明は、センサ用光ファイバと、当該センサ用光ファイバを備える電力装置監視システムとに関する。
【背景技術】
【０００２】
電池や発電機等の状況を監視するためには電流や電圧の測定が必要となる。従来の電流センサや電圧センサでは、たとえば電磁誘導の原理を用いて測定を行う。
【０００３】
また、電流や電圧ではなく、温度を測定するためのセンサとして、ＦＢＧ（ファイバブラッググレーティング）が形成された光ファイバが利用される。ＦＢＧとは、光ファイバのコアの屈折率を軸方向に沿った所定の長さ周期（グレーティング周期）で変化させた回折格子であって、光ファイバへの入射光に対し、グレーティング周期に応じた特定の波長（ブラッグ波長）の光を反射し、残りの光を透過するという特性を有している。温度変化に応じてＦＢＧが熱膨張すると、それに伴ってグレーティング周期が変化する。ブラッグ波長は、グレーティング周期の変化に対して線形に変化するため、ブラッグ波長の変化量に基づいて温度を測定することが可能となる。また、一本の光ファイバに複数のＦＢＧを形成すれば複数箇所の温度を測定する多点温度測定が可能となる。例えば特許文献１には、光ファイバへの入射光の光源としてレーザーを用い、航空機の外板上に設けられた複数のＦＢＧで温度を測定する温度測定システムが開示されている。
【０００４】
なお、温度センサ用でない光ファイバの構成の例として、特許文献２には、光ファイバのクラッド層の外周部にメタライズ処理を施した光部品が記載されている。
【先行技術文献】
【特許文献】
【０００５】
【特許文献１】特表２００９−５１６８５５号公報
【特許文献２】特開２００４−２９６９１号公報
【発明の概要】
【発明が解決しようとする課題】
【０００６】
しかしながら、従来の電流センサや電圧センサでは、測定値に含まれる誤差が比較的大きく、精度の高い測定を行うことが困難であるという問題があった。
また、従来のセンサ用光ファイバでは、電流や電圧を測定することができないという問題があった。たとえば特許文献１および２には、光ファイバを用いて電流・電圧を測定することについては記載がなく、また、特許文献１および２に記載される光ファイバをそのまま用いても電流・電圧の測定はできない。
【０００７】
本発明は、このような問題を解決するためになされたものであり、電流または電圧を高い精度で測定できるセンサ用光ファイバおよび電力装置監視システムを提供することを目的とする。
【課題を解決するための手段】
【０００８】
上述の問題を解決するため、この発明に係るセンサ用光ファイバは、入射光が伝播する方向に沿って、センサ用光ファイバのコアの屈折率を周期的に変化させたＦＢＧと、ＦＢＧを被覆する金属層と、金属層に設けられる一対の電極とを備え、ＦＢＧは、金属層によって被覆されるメタライズ部と、金属層によっては被覆されない非メタライズ部とを備え、メタライズ部は、ＦＢＧにおいて、入射光が伝播する方向中央に設けられる。
【０００９】
このような構成によれば、測定すべき電流（または測定すべき電圧に対応する電流）が金属層に流れた場合に、その電流の強さに応じて金属層の発熱量が変化する。そして、金属層の発熱量と金属層の熱による膨張の応力に応じて、ＦＢＧが伸張してブラッグ波長が変化し、これに伴ってＦＢＧを透過する光の波長が変化する。
【００１０】
金属層は抵抗金属材料を含んでもよい。
金属層に発生するジュール熱により、入射光が伝播する方向に金属層が伸縮するものであってもよい。
センサ用光ファイバは、複数のＦＢＧを備え、ＦＢＧの１つが有する金属層の電極のうち一方は抵抗器に接続されてもよい。
センサ用光ファイバは環境温度センサ部を備え、環境温度センサ部は、ＦＢＧとは異なるＦＢＧを備えてもよい。
メタライズ部の、入射光が伝播する方向における合計の長さと、非メタライズ部の、入射光が伝播する方向における合計の長さとは互いに等しいものであってもよい。
【００１１】
また、この発明に係る電力装置監視システムは、センサ用光ファイバであって、入射光が伝播する方向に沿って、センサ用光ファイバのコアの屈折率を周期的に変化させた複数のＦＢＧと、ＦＢＧを被覆する金属層と、金属層に設けられる一対の電極とを備え、複数のＦＢＧは、電流用ＦＢＧおよび電圧用ＦＢＧを含み、電圧用ＦＢＧが有する金属層の電極のうち一方は抵抗器に接続されたセンサ用光ファイバと、入射光を放射する光源と、ＦＢＧを透過した光またはＦＢＧによって反射された光を測定する光測定手段とを備え、電流用ＦＢＧの金属層は、電力装置に直列に接続され、電圧用ＦＢＧの金属層は、電力装置に並列に接続される。
【００１３】
光源は、入射光として複数の波長からなる光を放射し、光測定手段は、光のスペクトルを測定する分光手段であってもよい。
分光手段は、ＦＢＧによって反射されたブラッグ波長を特定し、電力装置監視システムは、ブラッグ波長に基づいて、金属層に流れる電流または金属層に印加された電圧を算出してもよい。
分光手段は、環境温度センサ部によって反射された波長を基準ブラッグ波長として特定し、算出手段は、ブラッグ波長と基準ブラッグ波長との差分に基づいて、電流または電圧を算出してもよい。
光源において、入射光の波長は可変であり、電力装置監視システムは、光源を制御して入射光の波長を変更する光源制御手段を備え、光源制御手段は、基準ブラッグ波長に基づいて、入射光の波長を制御してもよい。
【発明の効果】
【００１４】
本発明のセンサ用光ファイバおよび電力装置監視システムによれば、測定すべき電流によって、または測定すべき電圧に対応する電流によって、金属層の発熱量が異なり、これに応じてＦＢＧのブラッグ波長が変化するので、電流または電圧を光学的に測定することができ、精度が向上する。
【図面の簡単な説明】
【００１５】
【図１】本発明の実施の形態１に係る電力装置監視システムの構成を示す図である。
【図２】図１のＦＢＧの伸張を説明する図である。
【図３】図１のセンサ用光ファイバを透過する光のスペクトルが変化する様子を示す図である。
【図４】実施の形態２に係る電力装置監視システムの構成を示す図である。
【図５】図４のセンサ用光ファイバの一部の拡大図である。
【図６】図４の各ＦＢＧのブラッグ波長の関係を示す図である。
【図７】実施の形態３に係るセンサ用光ファイバの一部の拡大図である。
【図８】図７の金属層への通電に応じて、ＦＢＧによって反射される光のスペクトルが変化する様子を示す図である。
【図９】図７のセンサ用光ファイバの変形例を示す図である。
【発明を実施するための形態】
【００１６】
以下、この発明の実施の形態を添付図面に基づいて説明する。
実施の形態１．
図１は本発明の実施の形態１に係る電力装置監視システム１の構成の概略を示す模式図である。
電力装置監視システム１は、電力装置の電流または電圧を測定し、これによって電力装置を監視するために用いられる。電力装置とは、たとえば強電の電力装置を意味し、電池、蓄電池、発電機、変電器等を含む。また、電力装置とは、パワーデバイスと呼ばれるものであってもよく、高圧電気回路またはその一部であってもよい。
【００１７】
電力装置監視システム１は、センサ用光ファイバ１０および光処理装置２０を備える。センサ用光ファイバ１０は、公知の光ファイバとしての構成を有する。たとえば、センサ用光ファイバ１０は、入射光を所定の方向に伝播させるための構成として、コアおよびクラッドを備える。
【００１８】
センサ用光ファイバ１０は、通常の光ファイバとしての構成を有する光ファイバ部１１と、ＦＢＧ１２とを備える。図１の例では、光ファイバ部１１におけるコアの屈折率は一定であるものとする。ＦＢＧ１２において、コアの屈折率は、入射光が伝播する方向に沿って、所定の長さ周期（グレーティング周期）をもって周期的に変化する。このため、ＦＢＧ１２は、入射光に対し、グレーティング周期に応じて定まる特定の波長（ブラッグ波長）の光を反射し、残りの光を透過するという特性を有している。なお、光ファイバ部１１およびＦＢＧ１２は、例えば石英ガラス等の材料から形成されており、その熱膨張率は正の値となっている。また、一例として、ＦＢＧ１２の形成は、光ファイバのコアに紫外線等を照射することによって行われる。
【００１９】
センサ用光ファイバ１０は、ＦＢＧ１２を被覆する金属層１３を備える。また、センサ用光ファイバ１０は、金属層１３に設けられる一対の電極１４および１５を備える。電極１４および１５は、それぞれ電線１６および１７によって金属層１３の異なる位置に接続される。電極１４と電極１５との間に電圧を印加することにより、金属層１３に電流を流すことができる。
【００２０】
金属層１３は、一定の抵抗を有する抵抗金属材料を含む発熱体であり、たとえばその全体が抵抗金属材料によって構成される。このような抵抗金属材料の具体例としてはチタン、ニクロム、ステンレス、銀が挙げられる。また、抵抗金属材料は、チタン、ニクロム、ステンレスと銅とを混合した材料であってもよい。この金属層１３は、ＦＢＧ１２の外周に円筒面状に形成される。本実施の形態において、ブラッグ加工してある部分はすべて金属層１３で被覆されている。金属層１３は、必ずしもＦＢＧ１２の全体を完全に被覆する必要はなく、ＦＢＧ１２の少なくとも一部を被覆するものであればよい。さらに、金属層１３は、たとえばＦＢＧ１２のクラッド層上に形成されてクラッド層を被覆するものであるが、必ずしもクラッド層を直接被覆するものに限られない。
【００２１】
このような構成において、金属層１３に電流が流れると、金属層１３に発生するジュール熱によりＦＢＧ１２が伸張する。これについて、図２を用いて説明する。
図２は、ＦＢＧ１２の伸張を説明する図である。金属層１３に流れる電流Ｉにより、ＦＢＧ１２および金属層１３の軸方向（すなわち入射光が伝播する方向）の長さＬがΔＬだけ増加することを示す。金属層１３にジュール熱が発生すると、ＦＢＧ１２が加熱されて熱応力により膨張して軸方向に伸張する。また、このジュール熱により金属層１３自身が膨張して軸方向に伸張し、この際の応力によりＦＢＧ１２を軸方向に伸張させる。このような効果により、ＦＢＧ１２の長さＬがΔＬだけ増加する。
なお図２では説明の便宜上、金属層１３が右側にのみ伸張するように示しているが、実際には金属層１３は軸方向両側に伸張する。このように、ＦＢＧ１２および金属層１３はジュール熱により伸縮する。
【００２２】
ＦＢＧ１２の長さの変化に伴い、ＦＢＧ１２のグレーティング周期もまた変化する。グレーティング周期は、ＦＢＧ１２のブラッグ波長を規定する要素の１つとなっており、グレーティング周期の変化量に対してブラッグ波長が線形に変化するようになっている。すなわち、ＦＢＧ１２が伸張すると、グレーティング周期も大きくなるため、それに伴ってブラッグ波長が長波長側にシフトする。逆に、ＦＢＧ１２の温度が低下してＦＢＧ１２が収縮すると、グレーティング周期も小さくなるため、それに伴ってブラッグ波長が短波長側にシフトする。したがって、ブラッグ波長のシフト量に基づいて、ＦＢＧ１２の温度を表す数値を測定することが可能となる。
【００２３】
図３は、ブラッグ波長の変化に応じて、センサ用光ファイバ１０を透過する光のスペクトルが変化する様子を示す。図３（ａ）は温度Ｔａにおける透過光のスペクトルであり、図３（ｂ）は温度Ｔｂにおける透過光のスペクトルである。ここでＴａ＜Ｔｂとする。なお、現実の光源は理想的な白色光源ではないため、実際にはスペクトルは図３のように平坦なものではなく長波長側および短波長側において減衰するが、ここでは説明の便宜上図３に示す形状を用いる。また、本実施形態において使用する波長帯域は十分に狭いので、理想的な白色光源の必要は無く、使用範囲内でフラットと見なせる程度のブロードの発光波長帯域であればよい。
【００２４】
図３（ａ）に示すように、温度Ｔａでは、波長λａがブラッグ波長に相当する。ＦＢＧ１２が波長λａの光の大部分を反射するため、波長λａおよびその近傍の波長を持つ光はセンサ用光ファイバ１０を透過せず、結果として透過光のスペクトルは波長λａにおいて極小値を示す。
ＦＢＧ１２の温度がＴａからＴｂに上昇すると、ブラッグ波長が長波長側にシフトし、たとえばλｂとなる。この場合には、波長λｂおよびその近傍の波長を持つ光はセンサ用光ファイバ１０を透過せず、結果として透過光のスペクトルは波長λｂにおいて極小値を示す。
【００２５】
図１に戻り、光処理装置２０の構成について説明する。
光処理装置２０は、光源２１および光測定手段２２を備える。光源２１は、センサ用光ファイバ１０に対して入射光を放射する。光源２１はたとえばレーザーダイオードであるが、他の光源であってもよく、たとえば非レーザーのＬＥＤであってもよい。光源２１は、図３に示すように、連続的なスペクトルを持つ光を放射する。すなわち、入射光は複数の波長からなる。
【００２６】
光測定手段２２は、センサ用光ファイバ１０を透過した光を受光し測定する。光測定手段２２はセンサ用光ファイバ１０を透過した光のスペクトルを測定する機能を有し、公知の分光手段によって構成することができる。たとえば、光測定手段２２は、それぞれ異なる波長特性を有する複数のフィルタと、各フィルタを透過した光の強度を測定する光強度測定手段とを備え、各波長における光の強度を電気信号に変換する。ここで、光強度測定手段は、ＭＯＳやＣＣＤによって構成することができる。このようにして、光測定手段２２はＦＢＧ１２によって反射された波長（すなわちＦＢＧ１２のブラッグ波長）を特定することができる。たとえば、スペクトルが極小値を示す波長をブラッグ波長として特定する。
【００２７】
また、光処理装置２０は、光測定手段２２に接続される制御部２３を備える。制御部２３は、光測定手段２２から受信した信号に基づいて演算を行う演算手段２４を備える。演算手段２４は、ＦＢＧ１２のブラッグ波長に基づいて、金属層１３に流れる電流を算出する機能を有する。
たとえば、金属層１３に流れる電流の大きさに応じて金属層１３の発熱量が定まり、金属層１３の発熱量はＦＢＧ１２に加わる熱応力に比例するので、ブラッグ波長の変化量（所定の基準ブラッグ波長からの差分）は、金属層１３に流れる電流の大きさに依存することになる。演算手段２４は、この関係を表す関係式に基づいて電流の大きさを算出することができる。なお、この基準ブラッグ波長および関係式は、たとえばあらかじめ演算手段２４に記憶させておくことができる。
【００２８】
以上のように、本発明の実施の形態１に係る電力装置監視システム１によれば、金属層１３に流れる電流値を測定することができるので、金属層１３の電極１４および１５を測定対象の所望の位置に接続すれば、電流センサとして用いることができる。ここで、電力装置監視システム１は電流値をブラッグ波長の変化に基づいて光学的に測定するので、電磁ノイズ等の影響を受けないため高い精度の測定が可能である。
また、ブラッグ加工してある部分（ＦＢＧ１２の全体を含む）はすべて金属層１３で被覆されているので、反射波長帯域の歪みが生じない。
なお、金属層１３の抵抗値は既知であるため、電力装置監視システム１は、電流値を電圧値に変換することができる。すなわち、この場合、演算手段２４は、ＦＢＧ１２のブラッグ波長に基づいて、金属層１３に印加された電圧を算出する機能を有する。
【００２９】
実施の形態２．
実施の形態１では、環境温度の変化によるＦＢＧ１２の伸縮についてはとくに考慮していない。実施の形態２は、環境温度の変化を考慮し、より精度の高い測定を行える構成としたものである。
【００３０】
図４は、実施の形態２に係る電力装置監視システム１０１と、監視対象の電力装置の例である電池２００との構成を示す。電力装置監視システム１０１は、センサ用光ファイバ１１０および光処理装置１５０を備える。センサ用光ファイバ１１０は、光ファイバ部１１１と、３つのＦＢＧとを備える。これら３つのＦＢＧは、それぞれ、温度保証用ＦＢＧ１１２、電圧用ＦＢＧ１２２および電流用ＦＢＧ１３２である。本実施形態では、これら３つのＦＢＧは、すべて同一の特性（長さ、材質、グレーティング周期、熱膨張率など）を有する。
【００３１】
図５は、センサ用光ファイバ１１０の一部の拡大図である。温度保証用ＦＢＧ１１２、電圧用ＦＢＧ１２２および電流用ＦＢＧ１３２は、同一のセンサ用光ファイバ１１０のコアに設けられる。すなわち、これら３つのＦＢＧは、同一の光路上に設けられる。このような構成により、光測定手段１５２によって測定される光は、温度保証用ＦＢＧ１１２、電圧用ＦＢＧ１２２および電流用ＦＢＧ１３２のすべてを透過した光のみとなる。
【００３２】
温度保証用ＦＢＧ１１２は、従来の温度センサとして用いられるＦＢＧと同様の構成を有する。たとえば、本実施形態では、温度保証用ＦＢＧ１１２は金属層によっては被覆されない（ただし金属層による被覆が設けられる構成を除外するものではない）。この温度保証用ＦＢＧ１１２は、図示のように電圧用ＦＢＧ１２２および電流用ＦＢＧ１３２とは異なるＦＢＧであり、周囲環境の温度を測定する環境温度センサ部として機能する。
【００３３】
電圧用ＦＢＧ１２２および電流用ＦＢＧ１３２には、実施の形態１と同様に、それぞれを被覆する金属層１２３および金属層１３３が形成される。
電圧用ＦＢＧ１２２について、金属層１２３には一対の電極１２４および１２５が設けられ、それぞれ電線１２６および１２７によって金属層１２３の異なる位置に接続される。これら電極のうち一方（図５の例では電極１２４）は、対応する電線１２６を介して抵抗値Ｒ１を有する抵抗器１２８に挿入される。
また、電流用ＦＢＧ１３２について、金属層１３３には一対の電極１３４および１３５が設けられ、それぞれ電線１３６および１３７によって金属層１３３の異なる位置に接続される。電圧用ＦＢＧ１２２と異なり、電流用ＦＢＧ１３２には抵抗器は挿入されない。
【００３４】
図４に戻り、光処理装置１５０の構成について説明する。
光処理装置１５０は、光源１５１、光測定手段１５２および制御部１５３を備える。実施の形態１と同様に、光源１５１はセンサ用光ファイバ１１０に対して入射光を放射し、光測定手段１５２はセンサ用光ファイバ１１０を透過した光を受光し測定する。制御部１５３は、演算手段１５４および光源制御手段１５５を備える。
【００３５】
電池２００は陽極２０１および陰極２０２を備え、陽極２０１および陰極２０２の間には負荷２０３が接続される。このようにして、電池２００および負荷２０３は電気回路Ｃを構成する。ここで、電池２００は内部抵抗Ｒ２を有し、負荷２０３は抵抗Ｒ３と等価であるとする。また、電圧用ＦＢＧ１２２の金属層１２３の抵抗値はＲｖであり、電流用ＦＢＧ１３２の金属層１３３の抵抗値はＲｉであるとする（Ｒｖ＝Ｒｉであってもよい）。この場合、各抵抗の大小関係は、たとえばＲ１＞＞Ｒ３＞＞Ｒ２，Ｒｖ，Ｒｉとなるよう設計することが好ましいが、これに限られない。
【００３６】
電圧用ＦＢＧ１２２の金属層１２３および抵抗器１２８は、電気回路Ｃにおいて電池２００に並列に接続される。また、電流用ＦＢＧ１３２の金属層１３３は、電気回路Ｃにおいて電池２００に直列に接続される。温度保証用ＦＢＧ１１２は電気回路Ｃからは独立している。このような構成により、温度保証用ＦＢＧ１１２のブラッグ波長は周囲の温度に対応する波長となり、一方、電圧用ＦＢＧ１２２および電流用ＦＢＧ１３２のブラッグ波長は、周囲の温度にそれぞれ金属層１２３および金属層１３３の発熱に対応する温度を加えた温度に対応する波長となる。
【００３７】
なお、実施の形態２では、電気回路Ｃにおいて、電流用ＦＢＧ１３２の電極１３４および１３５の間の部分の長さＬ１（図４）は、常に一定となるように接続される。変形例として、この部分の抵抗値が常に一定となるように、長さＬ１を調整してもよい。いずれにしても、演算手段１５４が、電気回路Ｃの当該部分の抵抗値を取得または算出できる構成であればよい。
【００３８】
次に、図６を用いて、実施の形態２に係る電力装置監視システム１０１の動作を説明する。
図６は、各ＦＢＧのブラッグ波長の関係を示す。図６（ａ）は、温度保証用ＦＢＧ１１２のブラッグ波長λｔ周辺のスペクトルを、波長方向に模式的に拡大したものである。図６（ｂ）は、３つのＦＢＧそれぞれが反射する反射光のスペクトルを示す。図６（ｂ）に示すように、３つのＦＢＧがそれぞれ異なるブラッグ波長において光を反射するため、光測定手段１５２が測定する光のスペクトルには、図６（ａ）に示すように３つの極小値が現れる。
【００３９】
演算手段１５４は、各ブラッグ波長λｔ、λｖおよびλｉに基づいて、電池２００に係る電流および電圧を算出する。この算出は、たとえば次のようにして行うことができる。演算手段１５４は、まず、スペクトルに現れる３つの極小値のうち波長が最も短いものを温度保証用ＦＢＧ１１２のブラッグ波長λｔとして取得し、次に短いものを電圧用ＦＢＧ１２２のブラッグ波長λｖとして取得し、次に短いもの（すなわち最も長いもの）を電流用ＦＢＧ１３２のブラッグ波長λｉとして取得する。
【００４０】
そして、環境温度による誤差を補償するための差分Δλｖ＝λｖ−λｔを算出し、この差分Δλｖに基づいて電圧用ＦＢＧ１２２の金属層１２３に流れる電流を算出する。さらに、金属層１２３に流れる電流と、抵抗器１２８の抵抗値Ｒ１とに基づいて、金属層１２３の電極１２４および１２５の間の電圧を算出する。この電圧が、電池２００の陽極２０１および陰極２０２の間の電圧となる。このようにして、電力装置監視システム１０１は電池２００の電圧値を測定する。
【００４１】
同様に、演算手段１５４は、環境温度による誤差を補償するための差分Δλｉ＝λｉ−λｔを算出し、この差分Δλｉに基づいて電流用ＦＢＧ１３２の金属層１３３に流れる電流を算出する。そして、この電流と、金属層１３３の抵抗値Ｒｉ（あらかじめ記憶していてもよい）と、電気回路Ｃにおける電極１３４および１３５の間の抵抗値とに基づき、電気回路Ｃに流れる電流を算出する。このようにして、電力装置監視システム１０１は電池２００の電流値を測定する。
【００４２】
以上のように、本発明の実施の形態２に係る電力装置監視システム１０１によれば、電池２００の電流および電圧を測定することができ、電池２００の状態を監視することができる。実施の形態１と同様に、電力装置監視システム１０１は、電流値および電圧値をブラッグ波長の変化に基づいて光学的に測定するので、高い精度の測定が可能である。
【００４３】
また、実施の形態２では、ブラッグ波長λｉおよびλｖの絶対値をそのまま用いるのではなく、環境温度に対応するブラッグ波長λｔとの差分Δλｉ＝λｉ−λｔおよびΔλｖ＝λｖ−λｔを用いるので、環境温度の変動に起因する誤差を補償することができ、さらに高い精度の測定が可能である。
【００４４】
また、温度保証用ＦＢＧ１１２およびその周辺には電流が流れないので、温度保証用ＦＢＧ１１２自体の温度は電力装置監視システム１０１の停止時と稼動時とで変動しない。すなわち、温度保証用ＦＢＧ１１２のウォームアップや、環境温度に対して温度保証用ＦＢＧ１１２をスタビライズさせる作業が不要となる。また、各ＦＢＧにおけるブラッグ波長の変化およびその測定は光学的なものであり、電磁的干渉を受けないので、電磁的なノイズを排除してＳ／Ｎ比の高い測定を行うことができる。
【００４５】
また、環境温度に対応する波長（基準ブラッグ波長λｔ）の測定と、電流および電流に対応する波長（ブラッグ波長λｉおよびλｖ）の測定を、いずれもＦＢＧのブラッグ波長の変動に基づいて行う、すなわち同じ物理的原理に基づいて行うので、誤差の補償がより正確になる。
【００４６】
上述の実施の形態１および２において、以下のような変形を加えることができる。
実施の形態１および２では、光処理装置は各ＦＢＧを透過した透過光に基づいて電流および／または電圧を測定する。変形例として、光処理装置は各ＦＢＧによって反射された反射光に基づいて電流または電圧を測定してもよい。この場合、光測定手段はセンサ用光ファイバの入射側に設けられ、各ＦＢＧによって反射された光のスペクトルを測定する。また、ブラッグ波長は、測定されたスペクトルの極大値を与える波長として特定されることになる。
【００４７】
実施の形態１（図１）の金属層１３の電線１６に、実施の形態２（図５）の抵抗器１２８に相当する抵抗器が設けられてもよい。この場合は、実施の形態１の電力装置監視システム１は、電圧をより正確に測定することができる。また、センサ用光ファイバは、そのように抵抗器を設けたＦＢＧと、抵抗器を設けないＦＢＧ（すなわち図１に示すＦＢＧ１２）との双方を備えてもよい。これら双方のＦＢＧを設けた構成は、実施の形態２（図４）のセンサ用光ファイバ１１０において温度保証用ＦＢＧ１１２を省略した構成と同等である。
【００４８】
実施の形態２では３つのＦＢＧを用いるが、これは２つ以上であればよい。たとえば、電圧用ＦＢＧ１２２または電流用ＦＢＧ１３２のいずれか一方を省略することができる。この場合、電力装置監視システム１０１は電池２００の電流または電圧のいずれか一方を測定することになる。
【００４９】
実施の形態２では電流用ＦＢＧ１３２は電気回路Ｃの一部と並列に接続されるが、これは従来の電流計と同様に電気回路Ｃに直列に接続されてもよい。この場合、演算手段１５４は、電流用ＦＢＧ１３２の金属層１３３に流れる電流値をそのまま電池２００の電流値として測定することができる。
【００５０】
実施の形態２では、温度保証用ＦＢＧ１１２、電圧用ＦＢＧ１２２および電流用ＦＢＧ１３２はすべて同一の特性を有するが、これらはそれぞれ異なった特性を有してもよい。たとえば、それぞれ異なる熱膨張率を有してもよく、同一の温度においてそれぞれ異なるグレーティング周期を有してもよい。このような構成であっても、それぞれの特性が既知であれば、演算手段１５４は適切な演算によって電流値および電圧値を算出することができる。
【００５１】
実施の形態３．
実施の形態３は、１つのＦＢＧに電流検出部および温度検出部を設け、反射帯域幅に基づく演算を行うことにより、単一のＦＢＧで温度保証（温度補償）を可能とするものである。
図７は、実施の形態３に係るセンサ用光ファイバ３１０の一部の拡大図である。以下、実施の形態１のセンサ用光ファイバ１０（図１、図２）との相違点を説明する。
【００５２】
センサ用光ファイバ３１０は、ＦＢＧ３１２を被覆する金属層３１３を備える。金属層３１３は、たとえば金属蒸着により形成される。
ＦＢＧ３１２の軸方向の長さをＬ０とする。実施の形態１と異なり、金属層３１３はＦＢＧ３１２の全体を被覆するのではなく、一部のみを被覆する。すなわち、ＦＢＧ３１２は、金属層３１３によって被覆されるメタライズ部３１２ａと、金属層３１３によっては被覆されない非メタライズ部３１２ｂとを備える。（なお非メタライズ部３１２ｂは露出している必要はなく、金属層以外の構造によって被覆されてもよい。）
【００５３】
ＦＢＧ３１２の全体を通してグレーティング周期は一定である。すなわち、メタライズ部３１２ａのグレーティング周期と非メタライズ部３１２ｂのグレーティング周期とは同一である。本実施形態では、メタライズ部３１２ａが電流検出部として機能し、非メタライズ部３１２ｂが温度検出部として機能する。
【００５４】
メタライズ部３１２ａは、ＦＢＧ３１２の軸方向中央に設けられ、軸方向の長さＬａを有する。また、非メタライズ部３１２ｂは、ＦＢＧ３１２においてメタライズ部３１２ａの軸方向両側に設けられ、それぞれの側で軸方向の長さＬｂ／２を有する。すなわち、非メタライズ部３１２ｂの合計の長さはＬｂであり、Ｌ０＝Ｌａ＋Ｌｂとなる。
【００５５】
本実施形態ではＬａ＝Ｌｂである。すなわち、メタライズ部３１２ａの合計の長さ（図７の例では、メタライズ部３１２ａは１箇所なので、合計の長さはＬａである）は、非メタライズ部３１２ｂの合計の長さに等しい。このように、メタライズ部３１２ａと非メタライズ部３１２ｂとは、互いにグレーティング周期が等しく、かつ長さも等しいので、同一の温度では同一のスペクトル特性を有することになる。
【００５６】
図８は、金属層３１３への通電に応じて、ＦＢＧ３１２によって反射される光のスペクトルが変化する様子を示す。図８（ａ）は通電前の状態を表す。ＦＢＧ３１２は全体が通電前の温度（たとえば室温）にある。すなわち、メタライズ部３１２ａの反射スペクトルＳａと、非メタライズ部３１２ｂの反射スペクトルＳｂとは一致する。このときのピーク波長をλ０とする。また、ＦＢＧ３１２全体で反射される波長の帯域幅をＢ０とする。この帯域幅Ｂ０は公知の方法によって測定することができ、たとえば反射される光の強度が所定の閾値以上となる帯域の幅である。
【００５７】
図８（ｂ）は、金属層３１３への通電が開始された直後の状態を表す。通電開始直後は、メタライズ部３１２ａのみ急速に温度が上昇し、熱膨張により反射スペクトルＳａが長波長側にシフトする。ここではΔλｉだけシフトして、ピーク波長がλ１＝λ０＋Δλｉとなったとする。この時点では非メタライズ部３１２ｂの温度は上昇しておらず、したがって反射スペクトルＳｂは元のままである。
【００５８】
このようにメタライズ部３１２ａの反射スペクトルＳａだけがシフトした結果、ＦＢＧ３１２全体でみると反射スペクトルの幅が広がる。このとき、ＦＢＧ３１２全体で反射される波長の帯域幅をＢｔとすると、Ｂｔ＝Ｂ０＋Δλｉとなる。したがって、Ｂ０およびＢｔを測定すればΔλｉを算出することができる（たとえばΔλｉ＝Ｂ２−Ｂ０）。さらに、Δλｉは電流の大きさに依存するので、Δλｉに基づいて電流の大きさを算出することができる。
【００５９】
たとえば、電力装置監視システムは、入射光として複数の波長からなる光を放射する光源と、ＦＢＧ３１２によって反射された波長の帯域幅Ｂｔを測定する光測定手段（分光手段）と、測定された帯域幅Ｂｔに基づいて金属層３１３に流れる電流を算出する算出手段とを備えるよう構成することができる。なお金属層３１３に印加された電圧も同様に算出可能である。制御部は、電流が０である場合にＦＢＧ３１２によって反射される波長の帯域幅Ｂ０を予め記憶していてもよい。
【００６０】
図８（ｃ）は、金属層３１３への通電がしばらく継続している状態を表す。メタライズ部３１２ａからセンサ用光ファイバ３１０の全体に熱が伝播し、メタライズ部３１２ａおよび非メタライズ部３１２ｂの反射スペクトルＳａおよびＳｂがいずれも長波長側にシフトする。ここではΔλｔだけシフトしたとする。この結果、メタライズ部３１２ａの反射スペクトルのピーク波長はλ３＝λ１＋Δλｔとなり、非メタライズ部３１２ｂの反射スペクトルＳｂのピーク波長はλ２＝λ０＋Δλｔとなる。
【００６１】
このような状態では、金属層３１３に流れる電流が一定であっても、メタライズ部３１２ａの反射スペクトルＳａのピーク波長が時間とともに変動するので、電流値の算出を反射スペクトルＳａのピーク波長のみに基づいて厳密に行うには、なんらかの補正が必要となる。
【００６２】
しかしながら、Δλｔのシフトはメタライズ部３１２ａおよび非メタライズ部３１２ｂに同様に現れるため、ＦＢＧ３１２全体の反射スペクトルはその形状が変わらないまま全体が長波長側にシフトする。したがって、ＦＢＧ３１２全体で反射される波長の帯域幅はＢｔのままで変化しない。このように、通電継続によるセンサ用光ファイバ３１０全体の温度変動の影響Δλｔの大きさに関わらず、電流の大きさのみに依存する値Δλｉを精度良く求めることができる。
【００６３】
図８（ｄ）は、通電を停止した直後の状態を表す。メタライズ部３１２ａは急速に冷却されるため反射スペクトルＳａは短波長側に戻るが、センサ用光ファイバ３１０全体の温度上昇のため、通電開始前（図８（ａ）の状態）よりは長波長側寄りであり、ピーク波長はλ２となる。また、非メタライズ部３１２ｂの反射スペクトルＳｂは変化せず、ピーク波長はλ２のままである。したがって、メタライズ部３１２ａの反射スペクトルＳａと、非メタライズ部３１２ｂの反射スペクトルＳｂとが一致する。
【００６４】
この時点では、ＦＢＧ３１２全体の反射スペクトルは通電開始前（図８（ａ））に比べて長波長側にシフトしているが、反射スペクトルの帯域幅は通電開始前と同じくＢ０となる。このように、通電継続によるセンサ用光ファイバ３１０全体の温度変動の影響Δλｔの存否に関わらず、電流の大きさを精度良く求めることができる。
なお、通電停止後しばらく時間が経過すると、センサ用光ファイバ３１０全体の温度が低下し、通電開始前の状態（図８（ａ））に戻る。
【００６５】
このように、実施の形態３によれば、１つのＦＢＧに電流検出部（メタライズ部３１２ａ）および温度検出部（非メタライズ部３１２ｂ）を設け、反射帯域幅に基づく演算を行うので、単一のＦＢＧ３１２で温度保証（温度補償）を行って正確な電流値または電圧値を算出することができる。
【００６６】
したがって、発熱による熱量蓄積が波長シフトのドリフトをもたらすような場合であっても、正確に電流値を算出することができる。
また、１個のＦＢＧ素子でＦＢＧ３１２を実現できるため、コストの上昇が回避できる。とくに、外付けＦＢＧによる温度センサ等は不要であり、コストを低減するとともに装置全体を小型化することができる。
【００６７】
また、メタライズ部３１２ａの長さと非メタライズ部３１２ｂの長さとが互いに等しいので、それぞれの反射スペクトルが共通する特性（たとえば同一の反射率）を示し、より精度の高い測定を行うことができる。ただし、これらの長さが等しくない場合であっても、それぞれ０でない長さであれば測定を行うことは理論上可能である。また、これらの長さは厳密に一致する必要はなく、長さが多少異なっていても、波長の測定精度または電流・電圧の算出精度に与える誤差が無視できる程度であれば、長さが互いに等しいとみなすことができる。
【００６８】
また、メタライズ部３１２ａは、ＦＢＧ３１２の軸方向中央に設けられるので、非メタライズ部３１２ｂの熱応答性が高まる（すなわち時定数が小さくなる）。ただし、厳密に中央に配置される必要はなく、メタライズ部３１２ａの両側に非メタライズ部３１２ｂが位置する構成であれば、ある程度非メタライズ部３１２ｂの熱応答性を維持することができる。
【００６９】
ただし、メタライズ部３１２ａがＦＢＧ３１２のどこに設けられても、ある程度の熱応答性をもって電流値の算出を行うことは可能であり、たとえば図９に示す変形例のように端部に設けられてもよい。図９の変形例において、センサ用光ファイバ４１０はＦＢＧ４１２を備え、ＦＢＧ４１２は金属層４１３によって被覆されるメタライズ部４１２ａ（長さＬａ）と、金属層４１３によっては被覆されない非メタライズ部４１２ｂ（長さＬｂ）とを備える。
【００７０】
実施の形態３では、ＦＢＧ３１２によって反射された光の波長に基づいて電流および／または電圧を測定する。変形例として、ＦＢＧ３１２を透過した光の波長に基づいて電流または電圧を測定してもよい。
【符号の説明】
【００７１】
１、１０１  電力装置監視システム、
１０、１１０、３１０、４１０  センサ用光ファイバ、１１、１１１  光ファイバ部、１２、３１２、４１２  ＦＢＧ（３１２ａ、４１２ａ  メタライズ部、３１２ｂ、４１２ｂ  非メタライズ部）、１１２  温度保証用ＦＢＧ（ＦＢＧ、環境温度センサ部）、１２２  電圧用ＦＢＧ（ＦＢＧ）、１３２  電流用ＦＢＧ（ＦＢＧ）、１３、１２３、１３３、３１３、４１３  金属層、１４、１５、１２４、１２５、１３４、１３５  電極、
２０、１５０  光処理装置、２１、１５１  光源、２２、１５２  光測定手段（分光手段）、２４、１５４  演算手段、１２８  抵抗器、１５５  光源制御手段、２００  電池（電力装置）、Ｃ  電気回路、
Ｂ０、Ｂｔ  ＦＢＧによって反射された波長の帯域幅、Ｌａ  メタライズ部の合計の長さ、Ｌｂ  非メタライズ部の合計の長さ、λｉ、λｖ  ブラッグ波長、λｔ  ブラッグ波長（基準ブラッグ波長）。
【図１】
0005843668.tif 000002
【図２】
0005843668.tif 000003
【図３】
0005843668.tif 000004
【図４】
0005843668.tif 000005
【図５】
0005843668.tif 000006
【図６】
0005843668.tif 000007
【図７】
0005843668.tif 000008
【図８】
0005843668.tif 000009
【図９】
0005843668.tif 000010